(57)【要約】      （修正有）【課題】バインダー方式により多くの書類でも追加ファイルできるようにし、しかも、通常の書類でも比較的厚さのある冊子であっても一緒にファイルして全ての書類を一括管理できる新規な不動産重要書類用ファイルを提供する。【解決手段】表紙１及び裏表紙２の間の中央縦部３に開閉可能な綴じ金具４を設けたバインダー式ファイルであって、側辺部に沿ってバインダー用の複数の綴じ込み孔７を有し、内部に書類を挿入して保持するプラスチックシート製の複数の第１の袋体５を設け、第１の袋体５とは別に、同じく側辺部に沿ってバインダー用の複数の綴じ込み孔を有し、厚みのある書類を挿入して保持する比較的強度の高いプラスチックシート製の第２の袋体６を設けてなることを特徴とする。【選択図】図１
0003137455.tif 000002
【実用新案登録請求の範囲】
【請求項１】
表紙及び裏表紙の間の中央縦部に開閉可能な綴じ金具を設けたバインダー式ファイルであって、側辺部に沿ってバインダー用の複数の綴じ込み孔を有し、内部に書類を挿入して保持するプラスチックシート製の複数の第１の袋体を設け、該第１の袋体とは別に、同じく側辺部に沿ってバインダー用の複数の綴じ込み孔を有し、厚みのある書類を挿入して保持する比較的強度の高いプラスチックシート製の第２の袋体を設けてなることを特徴とする不動産重要書類用ファイル。
【請求項２】
上記第１の袋体がインフレーションポリプロピレン（ＩＰＰ）シートであり、上記第２の袋体がポリプロピレン（ＰＰ）シートである上記請求項１に記載の不動産重要書類用ファイル。
【請求項３】
第１の袋体のＩＰＰシートの厚さが０．０８〜０．１２ｍｍであり、第２の袋体のＰＰシートの厚さが０．１８〜０．２２ｍｍである上記請求項２に記載の不動産重要書類用ファイル。
【請求項４】
上記第１の袋体の綴じ込み孔がある側辺部をエンボス仕様にしてある上記請求項１〜３の何れかに記載の不動産重要書類用ファイル。
【請求項５】
上記第２の袋体の前面上部を斜めに切除してある上記請求項１乃至３の何れかに記載の不動産重要書類用ファイル。
【考案の詳細な説明】
【技術分野】
【０００１】
本考案は、土地、建物等の売買に必要な多くの書類、資料等を収める不動産重要書類用ファイルに関する。
【背景技術】
【０００２】
土地、建物等の不動産の売買では、契約書、登記簿謄本、重要事項説明書等の多くの書類があり、これらの書類は不動産重要書類用ファイルに収納して渡されていた。
従前から、この不動産重要書類を綴じ込めるように、複数のプラスチック製の上方を開放した袋体をファイルに綴じ込み固定して、この袋体中種々の書類を差し込んで収納していた。
従前では、ファイルに綴じ込み固定した袋体の数が決められていたため、多くの不動産重要書類を１つのファイルに綴じ込むことができず、２〜３冊のファイルに分散して収納していたので一括管理し難いという課題があった。
また、書類の中には、厚さの厚い冊子もあり、この厚さの厚い冊子は一括してファイルできず、別にしていたという課題もあった。
さらに、従前のファイルでは、袋体に０．０５ｍｍのプラスチックシートを使用していたため、袋体の強度が足りず、破損などして役立たずになるという課題があった。
【考案の開示】
【考案が解決しようとする課題】
【０００３】
本考案は、上記課題に鑑みて、バインダー方式により多くの書類でも追加ファイルできるようにし、しかも、通常の書類でも比較的厚さのある冊子であっても一緒にファイルして全ての書類を一括管理できる新規な不動産重要書類用ファイルを提供するものである。
しかも本考案では、ファイルシートの厚さを従前ファイルに比して厚くして、強度の高い不動産重要書類用ファイルを提供するものである。
【課題を解決するための手段】
【０００４】
そのために、本考案不動産重要書類用ファイルは、表紙及び裏表紙の間の中央縦部に開閉可能な綴じ金具を設けたバインダー式ファイルであって、側辺部に沿ってバインダー用の複数の綴じ込み孔を有し、内部に書類を挿入して保持するプラスチックシート製の複数の第１の袋体を設け、該第１の袋体とは別に、同じく側辺部に沿ってバインダー用の複数の綴じ込み孔を有し、厚みのある書類を挿入して保持する比較的強度の高いプラスチックシート製の第２の袋体を設けてなることを特徴とするものである。
【０００５】
上記第１の袋体がインフレーションポリプロピレン（ＩＰＰ）シートであり、上記第２の袋体がポリプロピレン（ＰＰ）シートであるとよい。
第１の袋体のＩＰＰシートの厚さが０．０８〜０．１２ｍｍであり、第２の袋体のＰＰシートの厚さが０．１８〜０．２２ｍｍであるとよい。
上記第１の袋体の綴じ込み孔がある側辺部をエンボス仕様にしてあるとよい。
上記第２の袋体の前面上部を斜めに切除してあるとよい。
【考案の効果】
【０００６】
本考案不動産重要書類用ファイルは、表紙及び裏表紙の間の中央縦部に開閉可能な綴じ金具を設けたバインダー式ファイルであって、側辺部に沿ってバインダー用の複数の綴じ込み孔を有し、内部に書類を挿入して保持するプラスチックシート製の複数の第１の袋体を設け、該第１の袋体とは別に、同じく側辺部に沿ってバインダー用の複数の綴じ込み孔を有し、厚みのある書類を挿入して保持する比較的強度の高いプラスチックシート製の第２の袋体を設けてなることを特徴とするものであるから、書類が増加したときには第１の袋体を追加して増えた書類をファイルすることができ、比較的厚みのある書類であっても第２の袋体に収めることができ、通常の書類と一緒にしてファイルを一括管理できる効果がある。
【０００７】
上記第１の袋体がインフレーションポリプロピレン（ＩＰＰ）シートであり、上記第２の袋体がポリプロピレン（ＰＰ）シートであり、第１の袋体のＩＰＰシートの厚さが０．０８〜０．１２ｍｍであり、第２の袋体のＰＰシートの厚さが０．１８〜０．２２ｍｍであるから、従前のファイルに比し、強度が高く、破損し難い不動産重要書類用ファイルとなし得た効果がある。
また、上記第１の袋体の綴じ込み孔がある側辺部をエンボス仕様にしてあるから、高級感があるファイルとし、上記第２の袋体の前面上部を斜めに切除してあるとから、厚い冊子でも出し入れし易くした効果がある。
【考案を実施するための最良の形態】
【０００８】
図面に示した実施例により本考案の詳細を説明する。
図１に本考案不動産重要書類用ファイルを開放した状態の斜視図を示してあり、図２に第１の袋体の平面図を、図３に第２の袋体の平面図を示してある。
本考案は、表紙１及び裏表紙２の中央縦部３に複数の開閉可能な綴じ金具４を設けたバインダー式のファイルであり、複数の第１の袋体５と第２の袋体６を綴じ金具４に綴じ込んである。そのために第１の袋体５及び第２の袋体６のそれぞれに、その側辺部に沿って上記綴じ金具４に対応する綴じ込み孔７及び８を有する。
【０００９】
上記第１の袋体５はインフレーションポリプロピレン（ＩＰＰ）シートで構成し、上部を開放してあり、その側辺部９をエンボス加工仕様１０にして、この側辺部７の強度を高め、しかも高級感のあるファイルとしてある。この第１の袋体５のＩＰＰシートは、その厚さを０．０８〜０．１２ｍｍにしてあり、好ましくは０．１ｍｍの厚さにして強度を高め、破損し難くしてある。
一方第２の袋体は、ポリプロピレン（ＰＰ）シートで構成し、上部を開放してある。この第２の袋体のＰＰシートは、その厚さを０．１８〜０．２２ｍｍにしてあり、好ましくは０．２ｍｍの厚さにして強度を高め、破損し難くしてある。また、この袋体６の前面上部に斜めに切除した切除部１１があり、これにより厚みにある冊子も出し入れ易くしてある。
【００１０】
上記の通り、本考案不動産重要書類用ファイルは、バインダー式にして複数の第１の袋体を追加可能にし、第２の袋体を比較的強度の高い袋体にして通常の書類と厚みのある冊子でもファイルすることができるようにして一括管理できるようにしたものである。
また、第１の袋体のＩＰＰシート及び第２の袋体のＰＰシートを従前のファイルに比し厚くし、強度を高めたものである。
【図面の簡単な説明】
【００１１】
【図１】本考案不動産重要書類用ファイルの開放状態を示す斜視図。
【図２】第１の袋体の平面図。
【図３】第２の袋体の平面図。
【符号の説明】
【００１２】
１    表紙
２    裏表紙
３    中央縦部
４    綴じ金具
５    第１の袋体  
６    第２の袋体
７，８  綴じ込み孔  
９    側辺部
１０  エンボス加工仕様
１１  切除部
【図１】
0003137455.tif 000003
【図２】
0003137455.tif 000004
【図３】
0003137455.tif 000005